(57)【要約】【課題】開口の閉塞状態を維持できるとともに断熱性を向上できる換気框を提供すること。【解決手段】換気框５は、框体５０と、アルミ製框部材５１および樹脂製框部材５５間に設置されるフィルター６０とを備える。框体５０のアルミ製框部材５１は、室外側開口５２４が形成された見付け片部５２１と、一対の見込み片部５３２，５２２と、室内側開口５３８が形成された見付け片部５３３とを有して中空に形成される。樹脂製框部材５５は、通気用開口５６１が形成された樹脂製見付け片部５６を有する。樹脂製見付け片部５６および見付け片部５３３間には隙間５８が形成される。室内側開口５３８および通気用開口５６１は複数の長孔５３８Ａ，５６１Ａによってそれぞれ形成される。フィルター６０は、見付け片部５３３および樹脂製見付け片部５６間の隙間５８に引出し可能に挿入される。【選択図】図３
2017014775.tif 000002
【特許請求の範囲】
【請求項１】
金属製框部材および前記金属製框部材の室内側に係合する樹脂製框部材を備える框体と、前記金属製框部材および前記樹脂製框部材間に設置されるフィルターとを備え、
前記金属製框部材は、室外側開口が形成された室外側見付け片部と、一対の見込み片部と、室内側開口が形成された室内側見付け片部とを有して中空に形成され、
前記樹脂製框部材は、通気用開口が形成された樹脂製見付け片部を有し、
前記樹脂製見付け片部および前記室内側見付け片部間には隙間が形成され、
前記室内側開口および前記通気用開口は、框体の長手方向に沿って設けられた複数の孔によってそれぞれ形成され、
前記フィルターは、前記室内側見付け片部および前記樹脂製見付け片部間の前記隙間に引出し可能に挿入される
ことを特徴とする換気框。
【請求項２】
請求項１に記載の換気框において、
前記樹脂製框部材は、前記室内側見付け片部および前記樹脂製見付け片部間の前記隙間に位置する第一規制部および第二規制部を有し、
前記第一規制部は、前記室内側開口および前記通気用開口よりも前記樹脂製框部材の見付け方向外側に位置し、
前記第二規制部は、前記室内側開口および前記通気用開口よりも前記樹脂製框部材の見付け方向内側に位置する
ことを特徴とする換気框。
【請求項３】
請求項１に記載の換気框において、
前記金属製框部材は、前記室内側見付け片部および前記樹脂製見付け片部間の前記隙間に位置する第一規制部および第二規制部を有し、
前記第一規制部は、前記室内側開口および前記通気用開口よりも前記金属製框部材の見付け方向外側に位置し、
前記第二規制部は、前記室内側開口および前記通気用開口よりも前記金属製框部材の見付け方向内側に位置する
ことを特徴とする換気框。
【請求項４】
請求項１から請求項３のいずれか一項に記載の換気框において、
前記金属製框部材には、当該金属製框部材内に位置して前記室内側開口を開閉する開閉部材と、前記開閉部材を開閉操作する操作摘みとが取り付けられ、
前記樹脂製框部材には、前記操作摘みが配置される開口部が形成され、
前記開口部のうち前記操作摘みと前記通気用開口との間の部分はフィルター挿入口として構成される
ことを特徴とする換気框。
【請求項５】
請求項４に記載の換気框において、
前記樹脂製框部材には、前記フィルター挿入口を塞ぐ蓋部材が設けられる
ことを特徴とする換気框。
【請求項６】
請求項４または請求項５に記載の換気框において、
前記開閉部材は、前記金属製框部材の長手方向に沿って形成された溝部に回動可能に取り付けられる
ことを特徴とする換気框。
【発明の詳細な説明】
【技術分野】
【０００１】
本発明は、室内外を仕切る建具に設けられる換気框に関する。
【背景技術】
【０００２】
従来、換気框として、上横板、下横板、室内側開口を有する室内側縦板および室外側開口を有する室外側縦板によって形成された框本体と、室内側縦板の室内側開口に沿って配置されるワイヤー入りのフィルターとによって構成したフィルター付き換気框が知られている（特許文献１参照）。
室内側縦板には、上下方向に離れて位置する上向凹溝および下向凹溝が形成され、上側凹溝および下側凹溝間に室内側開口が位置している。室内側縦板の長手方向における一端側には、切欠部が形成されている。フィルターは、室内側縦板の切欠部から上向凹溝および下向凹溝間に引き出し自在に挿入される。
【先行技術文献】
【特許文献】
【０００３】
【特許文献１】特開平１１−２２３０７８号公報
【発明の概要】
【発明が解決しようとする課題】
【０００４】
ところで、特許文献１に記載のフィルター付き換気框では、フィルターが上向凹溝および下向凹溝間に挿入されて室内側開口に沿って配置されているだけであるため、室内側開口を通る気流によってフィルターが室外側に撓んで集塵等の機能が低下するおそれや、振動等によってフィルターが室外側に外れてしまうおそれがある。
また、特許文献１に記載のフィルター付き換気框では、上横板、下横板を介して室外側縦板および室内側縦板間で熱伝達するため、室内外間における断熱性の向上を図ることが困難である。
【０００５】
本発明の目的は、開口の閉塞状態を維持できるとともに断熱性を向上できる換気框を提供することにある。
【課題を解決するための手段】
【０００６】
本発明の換気框は、金属製框部材および前記金属製框部材の室内側に係合する樹脂製框部材を備える框体と、前記金属製框部材および前記樹脂製框部材間に設置されるフィルターとを備え、前記金属製框部材は、室外側開口が形成された室外側見付け片部と、一対の見込み片部と、室内側開口が形成された室内側見付け片部とを有して中空に形成され、前記樹脂製框部材は、通気用開口が形成された樹脂製見付け片部を有し、前記樹脂製見付け片部および前記室内側見付け片部間には隙間が形成され、前記室内側開口および前記通気用開口は、框体の長手方向に沿って設けられた複数の孔によってそれぞれ形成され、前記フィルターは、前記室内側見付け片部および前記樹脂製見付け片部間の前記隙間に引出し可能に挿入されることを特徴とする。
【０００７】
本発明の換気框によれば、室内側見付け片部と樹脂製見付け片部との隙間にフィルターを挿入するため、フィルターの室外面は室内側見付け片部に受け止められ、フィルターの室内面は樹脂製見付け片部に受け止められる。これにより、室内側開口および通気用開口を通る気流によってフィルターが撓み変形することなく集塵等の機能を十分に発揮でき、また、前記隙間から外れることをなくすことができる。
また、換気框の室内側部分が樹脂製框部材によって構成され、金属製框部材が室内側に露出しないので、室内外間における断熱性を向上できる。
【０００８】
本発明の換気框では、前記樹脂製框部材は、前記室内側見付け片部および前記樹脂製見付け片部間の前記隙間に位置する第一規制部および第二規制部を有し、前記第一規制部は、前記室内側開口および前記通気用開口よりも前記樹脂製框部材の見付け方向外側に位置し、前記第二規制部は、前記室内側開口および前記通気用開口よりも前記樹脂製框部材の見付け方向内側に位置することが好ましい。
このような構成によれば、室内側見付け片部および樹脂製見付け片部間の隙間に挿入されるフィルターの樹脂製框部材の見付け方向外側への位置ズレを、第一規制部によって規制でき、前記フィルターの樹脂製框部材の見付け方向内側への位置ズレを、第二規制部によって規制できる。
また、第一規制部および第二規制部が樹脂製框部材に形成されるので、室内側見付け片部に前述した各規制部などを形成する必要がなく見付け面をフラットに形成でき、室内側見付け片部に室内側開口を構成する複数の孔を容易に加工できる。また、樹脂製框部材は、その樹脂製見付け片部の室外面に第一規制部および第二規制部を形成でき、かつ樹脂製見付け片部の室内面をフラットに形成できるので、樹脂製框部材に通気用開口を構成する複数の孔を容易に加工できる。
【０００９】
本発明の換気框では、前記金属製框部材は、前記室内側見付け片部および前記樹脂製見付け片部間の前記隙間に位置する第一規制部および第二規制部を有し、前記第一規制部は、前記室内側開口および前記通気用開口よりも前記金属製框部材の見付け方向外側に位置し、前記第二規制部は、前記室内側開口および前記通気用開口よりも前記金属製框部材の見付け方向内側に位置することが好ましい。
このような構成によれば、室内側見付け片部および樹脂製見付け片部間の隙間に挿入されるフィルターの金属製框部材の見付け方向外側への位置ズレを、第一規制部によって規制でき、前記フィルターの金金属製框部材の見付け方向内側への位置ズレを、第二規制部によって規制できる。
また、金属製框部材の室内側見付け片部に第一規制部および第二規制部を形成することで、例えば樹脂製框部材に第一規制部および第二規制部を形成した場合と比べ、室内側見付け片部および樹脂製見付け片部間の隙間幅の寸法精度を向上できる。
【００１０】
本発明の換気框では、前記金属製框部材には、当該金属製框部材内に位置して前記室内側開口を開閉する開閉部材と、前記開閉部材を開閉操作する操作摘みとが取り付けられ、前記樹脂製框部材には、前記操作摘みが配置される開口部が形成され、前記開口部のうち前記操作摘みと前記通気用開口との間の部分はフィルター挿入口として構成されることが好ましい。
このような構成によれば、換気框の長手方向における端部からフィルターを挿入し引出す必要がないので、換気框の端部に取り付けられる縦框などが框勝ちとされても、換気框の室内面からフィルターを簡単に挿入し、引出すことができる。
【００１１】
本発明の換気框では、前記樹脂製框部材には、前記フィルター挿入口を塞ぐ蓋部材が設けられることが好ましい。
このような構成によれば、蓋部材によってフィルター挿入口を塞ぐことで、室内側から見てフィルター挿入口を隠すことができ、内観意匠を向上できる。
【００１２】
本発明の換気框では、前記開閉部材は、前記金属製框部材の長手方向に沿って形成された溝部に回動可能に取り付けられることが好ましい。
このような構成によれば、開閉部材が上下移動するものである場合と比べ、開閉部材の上下移動領域を確保する必要がなく框体の見付け寸法を小さくできる。また、金属製框部材の中空部に上向凹溝や下向き凹溝を設け、当該上向凹溝および下向凹溝間にフィルターを配置する場合と比べ、フィルターが金属製框部材の中空部ではなく、室内側見付け片部および樹脂製見付け片部間の隙間に設置されるので、金属製框部材の見込み寸法を小さくでき、また、開閉部材にフィルターが干渉することをなくすことができる。
【発明の効果】
【００１３】
本発明の目的は、開口の閉塞状態を維持できるとともに断熱性を向上できる換気框を提供することにある。
【図面の簡単な説明】
【００１４】
【図１】本発明の実施形態に係る換気框を備える引き違い窓を示す内観姿図。
【図２】前記実施形態に係る換気框を示す斜視図。
【図３】前記実施形態に係る換気框を示す縦断面図。
【図４】前記実施形態に係る換気框を示す斜視図。
【図５】本発明の変形例に係る換気框を示す斜視図。
【図６】本発明の他の変形例に係る換気框を示す斜視図。
【発明を実施するための形態】
【００１５】
［本実施形態の構成］
以下、本発明の実施形態を図面に基づいて説明する。
図１において、建具である引き違い窓１は、上枠２１、下枠２２および左右の縦枠２３，２４を枠組みした窓枠２と、図１において左右方向にスライド可能に窓枠２内に配置された外障子３および内障子４とを備えている。
【００１６】
外障子３は、上框３１、下框３２、左右の縦框３３および面材３５を框組みして構成されている。上框３１、下框３２は、アルミ押出形材と樹脂押出形材とによってアルミ樹脂複合構造とされており、面材３５は単層や複層のガラスパネルなどによって形成されている。この外障子３では縦框勝ちとされている。
【００１７】
内障子４は、上框、下框４２、左右の縦框４３および面材４５を框組みして構成されている。上框、下框４２は、アルミ押出形材と樹脂押出形材とによってアルミ樹脂複合構造とされており、面材４５は単層や複層のガラスパネルなどによって形成されている。この内障子４では縦框勝ちとされている。
前述した内障子４の上框は、本実施形態に係る換気框５によって構成されている。
【００１８】
図２，３に示すように、換気框５は、アルミ製框部材５１（金属製框部材）および樹脂製框部材５５を備える框体５０と、アルミ製框部材５１および樹脂製框部材５５間に設置されるフィルター６０と、アルミ製框部材５１に取り付けられる開閉部材７１および操作摘み７２とを備えている。
【００１９】
アルミ製框部材５１は、図３に示すように、二つのアルミ押出形材５２，５３を係合して中空に形成されている。このため、アルミ押出形材５２，５３を分離した状態で、長孔５３８Ａの孔加工や開閉部材７１、操作摘み７２、図示しない連動機構の取付け作業を簡単に行える。
アルミ押出形材５２は、見付け片部５２１と、見込み片部５２２と、立上り片部５２３とを有し、上枠２１のレール等に嵌合する嵌合溝を形成している。
見付け片部５２１のうち見込み片部５２２よりも下方に位置する部分には、室外側開口５２４が設けられている。室外側開口５２４は、框体５０の長手方向に沿って設けられた複数の長孔５２４Ａによって形成されている。各長孔５２４Ａは上下方向に延びている。
【００２０】
アルミ押出形材５３は、室外側の見付け片部５３１と、見込み片部５３２と、室内側の見付け片部５３３と、延出片部５３４とを有している。
見付け片部５３１の上縁は見込み片部５３２に室外縁に連続しており、この連続部分に見付け片部５２１と係合した係合溝部５３５が形成されている。
見込み片部５３２の室内縁は見付け片部５３３の下縁に連続しており、この連続部分に樹脂製框部材５５が係合する係合溝部５３６が形成されている。また、この連続部分の内側には、開閉部材７１に当接する気密材５３７が設けられている。
見付け片部５３３には、室内側開口５３８が設けられている。室内側開口５３８は、框体５０の長手方向に沿って設けられた複数の長孔５３８Ａによって形成されている。各長孔５３８Ａは上下方向に延びている。複数の長孔５３８Ａ間には、フィルター６０の室外面を受ける受け部５４２が形成されている。室内側開口５３８は、框体５０の見込み方向において立上り片部５２３に対して間隔を隔てて対向して位置している。
延出片部５３４は、見付け片部５３３の上縁から室外側に延出して形成されている。延出片部５３４の先端下部には、立上り片部５２３の先端と係合する係合溝部５３９が形成されている。延出片部５３４の先端上部には、樹脂製框部材５５が係合する係合溝部５４０が形成されている。また、延出片部５３４と見付け片部５３３との連続部分には、開閉部材７１が回動自在に取り付けられる溝部５４１が形成されている。溝部５４１は、アルミ製框部材５１の長手方向に沿って形成されている。
【００２１】
このアルミ製框部材５１では、見付け片部５２１，５３１によって室外側見付け片部が構成され、見込み片部５２２、立上り片部５２３および延出片部５３４によって上側の見込み片部が構成され、見込み片部５３２によって下側の見込み片部が構成され、そして、見付け片部５３３によって室内側見付け片部が構成されている。
アルミ製框部材５１は、前述した室外側見付け片部、上側、下側の見込み片部（一対の見込み片部）および室内側見付け片部によって中空部５４が形成されており、この中空部５４に、室内側開口５３８および室外側開口５２４を通じて通気可能に構成されている。
【００２２】
樹脂製框部材５５は、樹脂押出形材によって形成されており、図３に示すように、樹脂製見付け片部５６と、樹脂製見込み片部５７とを有している。
樹脂製見付け片部５６には、通気用開口５６１が形成されており、通気用開口５６１よりも上側部分（樹脂製框部材５５の見付け方向外側の部分）と下側部分（樹脂製框部材５５の見付け方向内側の部分）には室外側に突出した第一規制部５６２および第二規制部５６３が形成されている。第一規制部５６２は、後述するフィルター挿入口５６６の上縁に沿って形成され、第二規制部５６３は、フィルター挿入口５６６の下縁に沿って形成されている。通気用開口５６１は、框体５０の長手方向に沿って設けられた複数の長孔５６１Ａによって形成されている（図２参照）。各長孔５６１Ａは上下方向に延びている。複数の長孔５６１Ａ間には、フィルター６０の室外面を受ける受け部５６９が形成されている。樹脂製見付け片部５６には、係合溝部５３６に係合している鉤状の係合突部５６４が形成されている。
また、樹脂製見付け片部５６には、図２に示すように、操作摘み７２が配置される開口部５６５が設けられており、開口部５６５にはカバー材５６５Ａが設けられている。開口部５６５のうち框体５０の長手方向において操作摘み７２および通気用開口５６１間に位置する部分にフィルター挿入口５６６が形成されており、フィルター挿入口５６６には、当該フィルター挿入口５６６を回動によって開閉可能にカバー材５６５Ａに連結された蓋部材５６７が設けられている。
樹脂製見込み片部５７は、樹脂製見付け片部５６の上縁から室外側に延出して形成されており、その先端に係合溝部５４０に係合している鉤状の係合突部５７１を有している。
【００２３】
この樹脂製框部材５５は、係合突部５６４，５７１が係合溝部５３６，５４０に係合した状態で、樹脂製見付け片部５６が見付け片部５３３に沿って配置され、框体５０の見込み方向において見付け片部５３３に対して隙間５８を隔てて位置する。これにより、樹脂製見付け片部５６は、見付け片部５３３を覆って位置する。
通気用開口５６１は、框体５０見込み方向において室内側開口５３８に対して隙間５８を隔てて対向して位置する。第一規制部５６２および第二規制部５６３は隙間５８に位置する。
樹脂製見付け片部５６の下部は、框体５０の見込み方向において見付け片部５３１と間隔を隔てて対向して位置する。当該下部と見付け片部５３１との間には面材４５が配置される。
なお、樹脂製見付け片部５６の見付け寸法は、アルミ製框部材５１の室外側見付け片部の見付け寸法と同じである。
【００２４】
フィルター６０は、図２，３に示すように、換気框５を通る気流中の塵埃等を捕集するためのものであり、不織布、フェルト、綿などをシート状に形成され、框体５０に沿って延びている。
このフィルター６０は、図４に示すように、蓋部材５６７によって開けられたフィルター挿入口５６６から隙間５８（図３参照）に挿入され、蓋部材５６７によってフィルター挿入口５６６が閉められることによって室内側開口５３８および通気用開口５６１間に配置される。
また、交換時などには、蓋部材５６７によって開けられたフィルター挿入口５６６からフィルター６０を引出し、新たなフィルター６０を前述したように挿入する。
なお、フィルター６０にはその長手方向に延びたワイヤーなどが設けられているが、当該ワイヤーなどが設けられていないものも使用可能である。
【００２５】
開閉部材７１は、図３に示すように、アルミ製框部材５１の中空部５４に配置されており、溝部５４１に嵌合する断面円形状の嵌合部７１１が上縁に形成されており、嵌合部７１１の軸心を中心として回動可能に構成されている。
操作摘み７２は、アルミ製框部材５１の見付け片部５３３に取り付けられ、樹脂製框部材５５の長手方向においてフィルター挿入口５６６および通気用開口５６１と並んで配置されており、図２に示すＡ方向（左右方向）にスライド操作可能である。操作摘み７２は、図示しない連動機構によって開閉部材７１に連結されている。
【００２６】
開閉部材７１は、操作摘み７２の操作によって図３に実線で示す閉鎖位置から図３に二点鎖線で示す開放位置まで開閉移動する。閉鎖位置では、開閉部材７１は、先端が気密材５３７に当接して室内側開口５３８を閉塞した状態となる。また、開放位置では、開閉部材７１は、先端が気密材５３７から離間して室外側に位置して室内側開口５３８を開放した状態となる。この開閉部材７１による室内側開口５３８の開閉によって、換気框５の換気状態と非換気状態とが切り替えられる。
【００２７】
開閉部材７１の開閉範囲は見付け片部５３３から立上り片部５２３までの見込み幅に制約される。従って、例えば室内側開口５３８に沿って中空部５４にフィルター６０を設置するような構成では、開閉部材７１の開閉範囲は中空部５４におけるフィルター６０およびフィルター６０が取り付けられるための構成部分から立上り片部５２３までの見込み幅に制約されることとなり、アルミ製框部材５１の見込み寸法を大きくしないまま、開閉部材７１の開閉範囲を大きく確保することが困難である。これに対し、本実施形態では、フィルター６０が、中空部５４ではなく見付け片部５３３および樹脂製見付け片部５６間の隙間５８に配置されるので、当該フィルター６０等によって開閉部材７１の開閉範囲が制約されることがない。
【００２８】
［本実施形態の効果］
（１）本実施形態では、換気框５は、アルミ製框部材５１およびアルミ製框部材５１の室内側に係合する樹脂製框部材５５を備える框体５０と、アルミ製框部材５１および樹脂製框部材５５間に設置されるフィルター６０とを備え、アルミ製框部材５１は、室外側開口５２４が形成された室外側見付け片部（見付け片部５２１，５３１によって構成される）と、一対の見込み片部（下側の見込み片部５３２および見込み片部５２２、立上り片部５２３および延出片部５３４によって構成される上側の見込み片部）と、室内側開口５３８が形成された室内側見付け片部（見付け片部５３３によって構成される）とを有して中空に形成され、樹脂製框部材５５は、通気用開口５６１が形成された樹脂製見付け片部５６を有し、樹脂製見付け片部５６および見付け片部５３３間には隙間５８が形成され、室内側開口５３８および通気用開口５６１は、框体５０の長手方向に沿って設けられた複数の長孔５３８Ａ，５６１Ａ（孔）によってそれぞれ形成され、フィルター６０は、見付け片部５３３および樹脂製見付け片部５６間の隙間５８に引出し可能に挿入されることを特徴とする。
上記構成を有するため、隙間５８にフィルター６０を挿入することで、フィルター６０の室外面は見付け片部５３３に受け止められ、フィルター６０の室内面は樹脂製見付け片部５６に受け止められる。これにより、室内側開口５３８および通気用開口５６１を通る気流によってフィルター６０が撓み変形することなく集塵等の機能を十分に発揮でき、また、隙間５８から外れることをなくすことができる。
また、換気框５の室内側部分が樹脂製框部材５５によって構成され、アルミ製框部材５１が室内側に露出しないので、室内外間における断熱性を向上でき、さらに、樹脂製見付け片部５６によってフィルター６０をガイドできる。
さらに、本実施形態では、以下の各効果を発揮できる。
（２）樹脂製框部材５５は、アルミ製框部材５１の見付け片部５３３および樹脂製見付け片部５６間の隙間５８に位置する第一規制部５６２および第二規制部５６３を有し、第一規制部５６２は、室内側開口５３８および通気用開口５６１よりも上方（樹脂製框部材５５の見付け方向外側）に位置し、第二規制部５６３は、室内側開口５３８および通気用開口５６１よりも下方（樹脂製框部材５５の見付け方向内側）に位置する。このため、隙間５８に挿入されるフィルター６０の上方への位置ズレを、第一規制部５６２によって規制でき、フィルター６０の下方への位置ズレを、第二規制部５６３によって規制できる。
また、第一規制部５６２および第二規制部５６３は、樹脂製框部材５５に形成されるので、アルミ製框部材５１の見付け片部５３３に前述した第一規制部５６２および第二規制部５６３を形成する必要がなく見付け面をフラットにでき、見付け片部５３３に室内側開口５３８を構成する複数の長孔５３８Ａを容易に加工できる。また、樹脂製框部材５５は、その樹脂製見付け片部５６の室外面に第一規制部５６２および第二規制部５６３を形成でき、樹脂製見付け片部５６の室内面をフラットに形成できるので、樹脂製框部材５５に通気用開口５６１を構成する複数の孔５６１Ａを容易に加工できる。
（３）アルミ製框部材５１には、当該アルミ製框部材５１内に位置して室内側開口５３８を開閉する開閉部材７１と、開閉部材７１を開閉操作する操作摘み７２とが取り付けられ、樹脂製框部材５５には、操作摘み７２が配置される開口部５６５が形成され、開口部５６５のうち操作摘み７２と通気用開口５６１との間の部分はフィルター挿入口５６６として構成される。このため、換気框５の長手方向における端部からフィルター６０を挿入したり、引出したりする必要がないので、上框である換気框５に対して縦框勝ちとされても、換気框５の室内面からフィルター６０を簡単に挿入し、引出すことができる。
（４）樹脂製框部材５５には、フィルター挿入口５６６を塞ぐ蓋部材５６７が設けられる。このため、蓋部材５６７によってフィルター挿入口５６６を塞ぐことで、室内側から見てフィルター挿入口５６６を隠すことができ、内観意匠を向上できる。
（５）開閉部材７１は、アルミ製框部材５１の長手方向に沿って形成された溝部５４１に回動可能に取り付けられる。このため、例えば開閉部材７１が上下移動するものである場合と比べ、開閉部材７１の上下移動領域を確保する必要がなく框体５０の見付け寸法を小さくできる。また、アルミ製框部材５１の中空部５４に上向凹溝や下向き凹溝を設け、当該上向凹溝および下向凹溝間にフィルター６０を配置する場合と比べ、フィルター６０がアルミ製框部材５１の中空部５４ではなく、見付け片部５３３および樹脂製見付け片部５６間の隙間５８に設置されるので、アルミ製框部材５１の見込み寸法を小さくでき、また、開閉部材７１にフィルター６０が干渉することをなくすことができる。
（６）必要とされる集塵機能に応じた厚さ寸法が異なるフィルター６０に対応して、アルミ製框部材５１に係合する樹脂製框部材５５を代えることができ、見付け片部５３３および樹脂製見付け片部５６間の隙間５８の見込み幅を簡単に調整できる。
また、フィルター６０は、框体５０の見込み方向において見付け片部５３３および樹脂製見付け片部５６間に位置し、上下方向において第一規制部５６２および第二規制部５６３間に位置するので、フィルター６０が振動や衝撃で外れることを抑制できる。さらに、第一規制部５６２および第二規制部５６３によってフィルター６０が傾かないようにガイドでき、フィルター６０の挿入を簡単に行い得る。
【００２９】
［変形例］
本発明は、以上の実施形態で説明した構成のものに限定されず、本発明の目的を達成できる範囲での変形例は、本発明に含まれる。
例えば、前記実施形態では、隙間５８に第一規制部５６２および第二規制部５６３が設けられているが、これらの構成を省略してもよく、また、第一規制部５６２および第二規制部５６３のうちの一方だけを有していてもよい。
また、第一規制部５６２、第二規制部５６３は、樹脂製框部材５５に形成されているが、これに限らず、見付け片部５３３に形成されていてもよい。この場合には、樹脂製框部材５５に第一規制部５６２および第二規制部５６３を形成した場合と比べ、見付け片部５３３および樹脂製見付け片部５６間の隙間幅の寸法精度を向上できる。
さらに、第一規制部５６２および第二規制部５６３のうちの一方が見付け片部５３３に形成され、他方が樹脂製見付け片部５６に形成されてもよい。
【００３０】
前記実施形態では、樹脂製框部材５５には、操作摘み７２および通気用開口５６１間に位置する部分にフィルター挿入口５６６が形成されているが、例えば、各縦框４３に対して換気框５が框勝ちとされている場合には、換気框５の長手方向における端部にフィルター挿入口５６６が形成されてもよい。
【００３１】
前記実施形態では、フィルター挿入口５６６を回動によって開閉可能にカバー材５６５Ａに連結された蓋部材５６７が設けられているが、この構成を省略してもよく、また例えば図５に示すように、フィルター挿入口５６６に対して嵌め込み式の蓋部材５６８を備えていてもよく、さらに、図６に示すように、開口部５６５に配置されるカバー材５６５Ａがフィルター挿入口５６６をも塞ぐ構成とされてもよい。
【００３２】
前記実施形態では、開閉部材７１はアルミ製框部材５１に回動可能に取り付けられているが、これに限らず、例えば、アルミ製框部材５１に上下スライド可能に取り付けられていてもよい。
【００３３】
前記実施形態では、換気框５は上框として構成されるが、このほかにも、下框、縦框（召合せ框を含む）として構成されてもよい。
【符号の説明】
【００３４】
１…引き違い窓（建具）、２…窓枠、２１…上枠、２２…下枠、２３…縦枠、２４…縦枠、３…外障子、３１…上框、３２，４２…下框、３３，４３…縦框、３５，４５…面材、４…内障子、５…換気框、５０…框体、５１…アルミ製框部材（金属製框部材）、５２，５３…アルミ押出形材、５２１，５３１，５３３…見付け片部、５２２，５３２…見込み片部、５２３…立上り片部、５２４…室外側開口、５２４Ａ，５３８Ａ，５６１Ａ…長孔、５３４…延出片部、５３５，５３６，５３９，５４０…係合溝部、５３７…気密材、５３８…室内側開口、５４…中空部、５４１…溝部、５４２，５６９…受け部、５５…樹脂製框部材、５６…樹脂製見付け片部、５６１…通気用開口、５６２…第一規制部、５６３…第二規制部、５６４，５７１…係合突部、５６５…開口部、５６５Ａ…カバー材、５６６…フィルター挿入口、５６７，５６８…蓋部材、５７…樹脂製見込み片部、５８…隙間、６０…フィルター、７１…開閉部材、７１１…嵌合部、７２…操作摘み。
【図１】
2017014775.tif 000003
【図２】
2017014775.tif 000004
【図３】
2017014775.tif 000005
【図４】
2017014775.tif 000006
【図５】
2017014775.tif 000007
【図６】
2017014775.tif 000008